(57)【特許請求の範囲】
【請求項１】
遊技盤を収容保持する前枠と、前記前枠の前面側に開閉可能に設けられ前記前枠の前面側を覆って閉鎖するガラス扉と、前記前枠の後面側に開閉可能に設けられ前記前枠の後面側を覆って閉鎖する裏セット盤とを備えた弾球遊技機において、
前記ガラス扉および前記裏セット盤の各々は、前記前枠の側部上下に一対となって配設されたヒンジ機構により前記前枠に接続され、前記ヒンジ機構により前枠に対して開閉可能となっており、
前記裏セット盤の後面側部分には、前記ガラス扉に配設されたガラス扉側電気部品および前記前枠に配設された前枠側電気部品のそれぞれに電気接続される制御基板が設けられており、
前記裏セット盤は、前記制御基板に対して前記ヒンジ機構側の下側部分に、前後に貫通開口して形成された複数のガイド開口部を備えており、
前記制御基板と前記前枠側電気部品とを電気接続する前枠用ケーブルが、前記複数のガイド開口部のうちの第１のガイド開口部を通ってガイドされて前記制御基板から前記裏セット盤を通って配設され、
前記制御基板と前記ガラス扉側電気部品とを電気接続するガラス扉用ケーブルが、前記複数のガイド開口部における前記第１のガイド開口部より前記ヒンジ機構側に形成された第２のガイド開口部を通ってガイドされて前記制御基板から前記裏セット盤を通って配設されており、
前記制御基板は、前記ガラス扉用ケーブルに電気接続されるガラス扉ケーブル用接続部と、前記前枠用ケーブルに電気接続される前枠ケーブル用接続部とを備え、
前記制御基板が前記裏セット盤に設けられた状態において、前記前枠ケーブル用接続部に対して前記ガラス扉ケーブル用接続部が上方に位置することを特徴とする弾球遊技機。
【請求項２】
前記前枠における前記第２のガイド開口部と前後に対向する部分に、前後に貫通開口して形成された前枠側ガイド開口部が備えられ、
前記前枠側ガイド開口部は、前記第２のガイド開口部に対して下方に形成されており、
前記ガラス扉用ケーブルは、前記制御基板から前記第２のガイド開口部および前記前枠側ガイド開口部を通って配置されて前記前枠側電気部品に繋がって配設されており、
前記第２のガイド開口部および前記前枠側ガイド開口部の下面部分が、前方に向けて下がるように傾斜して形成されたことを特徴とする請求項１に記載の弾球遊技機。
【発明の詳細な説明】
【技術分野】
【０００１】
本発明は、遊技盤を収容保持する前枠と、前枠の前面側を覆って閉鎖するガラス扉と、前枠の後面側を覆って閉鎖する裏セット盤とを備えた弾球遊技機に関する。
【背景技術】
【０００２】
弾球遊技機の代表例であるパチンコ機は、遊技領域を形成する遊技盤を立設姿勢で収容保持する前枠に対して、遊技領域を臨ませるガラス扉が前面に揺動開閉自在に装着されるとともに、各種制御基板が取り付けられる裏セット盤が後面に揺動開閉自在に装着されて構成される。そして、上球皿に貯留された遊技球が球発射装置に送られ、この球発射装置により遊技領域上部に発射された遊技球を落下させる過程で、遊技領域内に設けた各種の入賞装置に入賞させる遊技を行うように構成されている。ガラス扉および前枠には、例えば各種演出等を行うための電気部品が装着されており、これらの電気部品はケーブルを介して裏セット盤に搭載された制御基板と電気接続され、制御基板からの作動信号に基づいて作動制御が行われるようになっている。
【０００３】
上記のようなパチンコ機においては、前枠に対してガラス扉を揺動開閉自在に装着させる機構、および前枠に対して裏セット盤を揺動開閉自在に装着させる機構として、従来ヒンジ機構が広く用いられている。このヒンジ機構により前枠に対してガラス扉および裏セット盤を揺動開閉させると、ガラス扉および前枠の揺動に伴ってケーブルも前後に移動されることとなり、このときにケーブル同士が絡み合って断線したりケーブルが損傷を受ける場合がある。そこで、例えば特許文献１には、ケーブルを中継させるための中継基板を前枠に配設することで、ガラス扉および裏セット盤を揺動させたときにケーブルが断線等しない構成が開示されている。
【先行技術文献】
【特許文献】
【０００４】
【特許文献１】特開２０００−２４５９０３号公報
【発明の概要】
【発明が解決しようとする課題】
【０００５】
ところが、特許文献１のように中継基板を用いてケーブルを中継させる場合ケーブルの断線等を防止可能であるが、一方で、制御基板と電気部品とを直接ケーブルで繋いで接続する場合と比較して、中継基板の分だけ製造コストが増加するとともに、中継基板を配設することで他の構成部品の配設スペースが圧迫されてしまうという課題があった。
【０００６】
本発明は、このような課題に鑑みてなされたものであり、製造コストを抑えつつ構成部品の配設スペースが十分に確保された弾球遊技機を提供することを目的とする。
【課題を解決するための手段】
【０００７】
このような目的達成のために、本発明に係る弾球遊技機は、遊技盤を収容保持する前枠と、前記前枠の前面側に開閉可能に設けられ前記前枠の前面側を覆って閉鎖するガラス扉と、前記前枠の後面側に開閉可能に設けられ前記前枠の後面側を覆って閉鎖する裏セット盤とを備えた弾球遊技機（例えば、実施形態におけるパチンコ機ＰＭ）において、前記ガラス扉および前記裏セット盤の各々は、前記前枠の側部上下に一対となって配設されたヒンジ機構により前記前枠に接続され、前記ヒンジ機構により前枠に対して開閉可能となっており、前記裏セット盤の後面側部分には、前記ガラス扉に配設されたガラス扉側電気部品（例えば、実施形態における左上スピーカ６９）および前記前枠に配設された前枠側電気部品（例えば、実施形態における上扉開放スイッチ５３）のそれぞれに電気接続される制御基板（例えば、実施形態における払出制御基板３３、演出接続基板３４、球貸出装置接続端子板４７）が設けられており、前記裏セット盤は、前記制御基板に対して前記ヒンジ機構側の下側部分に、前後に貫通開口して形成された複数のガイド開口部（例えば、実施形態における枠用ガイド開口２５、扉用ガイド開口２６ａ）を備えており、前記制御基板と前記前枠側電気部品とを電気接続する前枠用ケーブル（例えば、実施形態における枠用ハーネス２ｅ）が、前記複数のガイド開口部のうちの第１のガイド開口部を通ってガイドされて前記制御基板から前記裏セット盤を通って配設され、前記制御基板と前記ガラス扉側電気部品とを電気接続するガラス扉用ケーブル（例えば、実施形態における扉用ハーネス５ｅ）が、前記複数のガイド開口部における前記第１のガイド開口部より前記ヒンジ機構側に形成された第２のガイド開口部を通ってガイドされて前記制御基板から前記裏セット盤を通って配設されており、前記制御基板は、前記ガラス扉用ケーブルに電気接続されるガラス扉ケーブル用接続部と、前記前枠用ケーブルに電気接続される前枠ケーブル用接続部とを備え、前記制御基板が前記裏セット盤に設けられた状態において、前記前枠ケーブル用接続部に対して前記ガラス扉ケーブル用接続部が上方に位置することを特徴とする。
【０００８】
なお、前記前枠における前記第２のガイド開口部と前後に対向する部分に、前後に貫通開口して形成された前枠側ガイド開口部（例えば、実施形態における扉用ガイド開口２７）が備えられ、前記前枠側ガイド開口部は、前記第２のガイド開口部に対して下方に形成されており、前記ガラス扉用ケーブルは、前記制御基板から前記第２のガイド開口部および前記前枠側ガイド開口部を通って配置されて前記前枠側電気部品に繋がって配設されており、前記第２のガイド開口部および前記前枠側ガイド開口部の下面部分が、前方に向けて下がるように傾斜して形成されたことが好ましい。
【発明の効果】
【０００９】
本発明に係る弾球遊技機は、一のガイド開口部に前枠用ケーブルを通して配置して前枠用ケーブルをガイドさせるとともに、この一のガイド開口部に対してヒンジ機構側に位置して形成された他のガイド開口部にガラス扉用ケーブルを通して配置してガラス扉用ケーブルをガイドさせることが可能に構成されている。そのため、従来構成で使用されていた中継基板を用いなくても、前枠に対してガラス扉および裏セット盤を揺動開閉させた場合にケーブル同士が絡み合うことで発生する断線を防止可能となり、製造コストを抑えつつ他の構成部品の配設スペースを十分に確保することができる。
【００１０】
なお、上述の弾球遊技機において、前枠における一のガイド開口部と前後に対向する部分に前枠側ガイド開口部が備えられ、ガイド開口部および前枠側ガイド開口部の下面部分が、前後に傾斜して形成されたことが好ましい。このように構成された場合には、ガラス扉用ケーブルを前方に向けて傾斜させた状態でガイドすることができ、そのため、例えば前枠に対してガラス扉が揺動開閉された場合、この揺動に応じてガラス扉用ケーブルをスムーズに前後に移動させることが可能となる。
【図面の簡単な説明】
【００１１】
【図１】本発明に係るパチンコ機ＰＭの正面図である。
【図２】上記パチンコ機ＰＭの背面図である。
【図３】上記パチンコ機ＰＭの側面図（一部省略）である。
【図４】裏セット盤の基板配置を示した模式図である。
【図５】裏セット盤の基板配置を示した模式図（部分拡大図）である。
【図６】前枠の配線状態を示した模式図である。
【図７】ガラス扉の基板配置を示した模式図である。
【図８】（ａ）は裏セット盤に形成された枠用ガイド開口および扉用ガイド部材の拡大図を、（ｂ）は図８（ａ）中のVIII（ｂ）−VIII（ｂ）部分の断面図をそれぞれ示す。
【図９】上記パチンコ機ＰＭを構成する前枠の正面図である。
【図１０】図１中のX−X部分の断面図である。
【発明を実施するための形態】
【００１２】
以下、本発明の好ましい実施形態について図面を参照しながら説明する。以下においては、弾球遊技機の代表例としてのパチンコ機に本発明を適用した例について説明する。まず、図１〜図３を参照しながら、本発明に係るパチンコ機ＰＭの全体構成について概要説明する。
【００１３】
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１４】
前枠２の前面側には、前枠２の上部前面域に合わせた方形状のガラス扉５が上下のヒンジ機構３を利用して横開き開閉および着脱可能に組み付けられ、施錠装置４を利用して常には前枠２の前面を覆う閉鎖状態に保持される。ガラス扉５の背後に位置する前枠２の前面側には、遊技盤１０を着脱可能に収容する収容枠が設けられており、この収容枠の上部領域に遊技盤１０が後方から着脱可能にセット保持され、常には閉鎖保持されるガラス扉５を通して遊技盤１０の正面の遊技領域を臨ませるようになっている。
【００１５】
図１では遊技盤１０の詳細な図示を省略しているが、遊技盤１０の前面には略円形の遊技領域が区画形成され、この遊技領域に多数本の遊技釘とともに風車や各種入賞具、遊技の進行状況に応じて所定の画像が表示される画像表示装置などの遊技構成部品が取り付けられるとともに、遊技領域の下端部に入賞具に入賞せずに落下した遊技球を遊技盤１０の裏面側に排出させるアウト口が設けられている。
【００１６】
図１および図３に示すように、ガラス扉５の前面側下部には、前方に突出した上球皿６が設けられるとともに、この上球皿６の下方に下球皿７が設けられている。また、下球皿７の正面右側には、遊技球の発射操作を行う操作ハンドル８が設けられている。
【００１７】
前枠２の裏面側には、中央に前後連通する窓口を有して前枠２よりもやや小型の方形枠状に形成された裏セット盤２０が、上下のヒンジ機構３により横開き開閉および着脱可能に取り付けられている。この裏セット盤２０には、図２に示すように、遊技球を貯留する球貯留タンク２１、球貯留タンク２１から右方に緩やかな下り傾斜を有して延びるタンクレール２２、タンクレール２２の右端部に繋がり下方に延びる整列待機通路２３、整列待機通路２３の下端部に繋がって設けられた球払出装置２４、球払出装置２４の下方に設けられて球払出装置２４から払い出された遊技球を上球皿６に導く上球皿用球払出通路（図示せず）、この上球皿用球払出通路から分岐して上球皿用球払出通路内に溢れた遊技球を下球皿７に導く下球皿用球払出通路（図示せず）、遊技領域に到達しなかったファール球を下球皿７に導くファール球導出通路（図示せず）等が設けられている。また、裏セット盤２０の裏面側部分には、後述するように各種制御基板が取り付けられている。
【００１８】
このように構成されるパチンコ機ＰＭは、前枠２に対してガラス扉５および裏セット盤２０が閉止されて施錠された状態で遊技に供され、上球皿６に遊技球を貯留させて操作ハンドル８を回動操作することにより遊技が開始される。操作ハンドル８が回動操作されると、上球皿６に貯留された遊技球が球発射装置（図示せず）により１球ずつ遊技盤１０の遊技領域上部に打ち出され、以降パチンコゲームが展開される。
【００１９】
以上ここまでは、パチンコ機ＰＭの全体構成について概要説明した。このように構成されるパチンコ機ＰＭにおいては、ガラス扉５および前枠２に各種演出を行うための電気部品や遊技状態を検出するためのセンサ等が配設されており、これらの電気部品やセンサが裏セット盤２０に搭載された各種制御基板とケーブルによって電気接続されている。そして、各種制御基板からの作動信号に基づいて電気部品が作動制御されるとともに、センサにおける検出結果が各種制御基板へと送信されるようになっている。それでは、裏セット盤２０における各種制御基板の配置構成、前枠２およびガラス扉５における電気部品等の配置構成について、図４〜図７を参照しながら以下に説明する。なお、図４〜図７で図示する線分は、電力または信号等のやり取りを示すもので、矢印で示す方向に電力（または信号）が供給（または送信）される。
【００２０】
まず、図４を参照しながら、裏セット盤２０における各種制御基板の配置構成について説明する。裏セット盤２０の後面側下部には、交流電源３１と電気接続されてパチンコ機ＰＭの各制御基板に電力を供給する電源基板３２と、各種演出の制御を行う演出接続基板３４とが左右に並んで配設されており、遊技球の払い出しに関する制御を行う払出制御基板３３が電源基板３２および演出接続基板３４の後方を覆うように取り付けられている。なお、裏セット盤２０には、下球皿７内に遊技球が満杯となったことを検出する満杯スイッチ４９が設けられており、この満杯スイッチ４９と払出制御基板３３とが、払出制御基板３３に設けられたケーブルコネクタ３３ｂにより電気接続されている。
【００２１】
また、払出制御基板３３の上方には、パチンコ機ＰＭにおける制御の中枢を担う主制御基板３５が、遊技盤中継端子板３６の後面側を覆うように取り付けられている。主制御基板３５の上方には、各種遊技状態に応じた演出画像や抽選図柄を表示させるための液晶パネル４０が配設され、この液晶パネル４０の後面側を覆うように演出ＲＯＭ基板４１、液晶中継基板４２、インバータ基板４３、画像制御基板３７、演出制御基板３８および演出インターフェイス基板３９が取り付けられている。この演出インターフェイス基板３９は、遊技盤１０の前面側に配設された電飾や可動役物等の盤面部品４８に電気接続されている。
【００２２】
裏セット盤２０には、外部端子板４５、賞球カセット４６および球貸出装置接続端子板４７が配設されており、これらが上記の各制御基板と電気接続されている。外部端子板４５は、払出制御基板３３およびホールコンピュータ５０と電気接続されている。賞球カセット４６は、遊技球を払出すスプロケットを駆動させる払出モータ（図示せず）、スプロケットの回転位置を検出するインデックスセンサ（図示せず）、払出された遊技球をカウントするカウントセンサ（図示せず）、不正電波の有無を検出する電波センサ（図示せず）等から構成され、払出制御基板３３と電気接続されている。球貸出装置接続端子板４７は、遊技球貸出用のＣＲユニット（図示せず）、電源基板３２および払出制御基板３３と電気接続されている。
【００２３】
図５に示すように、球貸出装置接続端子板４７に設けられたケーブルコネクタ４７ａに接続された扉用ケーブル５ａ、演出接続基板３４に設けられたケーブルコネクタ３４ｃに接続された扉用ケーブル５ｂ、払出制御基板３３に設けられたケーブルコネクタ３３ｅに接続された扉用ケーブル５ｃ、および演出接続基板３４に設けられたケーブルコネクタ３４ｂに接続された扉用ケーブル５ｄのそれぞれが、後述するように裏セット盤２０および前枠２にガイドされて裏セット盤２０からガラス扉５へと前後に延びて配設される。なお、以下においては、扉用ケーブル５ａ〜５ｄをまとめて扉用ハーネス５ｅと称する。
【００２４】
一方、演出接続基板３４に設けられたケーブルコネクタ３４ａに接続された枠用ケーブル２ａ、払出制御基板３３に設けられたケーブルコネクタ３３ａに接続された枠用ケーブル２ｂ、払出制御基板３３に設けられたケーブルコネクタ３３ｃに接続された枠用ケーブル２ｃ、および払出制御基板３３に設けられたケーブルコネクタ３３ｄに接続された枠用ケーブル２ｄのそれぞれが、裏セット盤２０にガイドされて前枠２へと前後に延びて配設される。なお、以下においては、枠用ケーブル２ａ〜２ｄをまとめて枠用ハーネス２ｅと称する。
【００２５】
次に、図６を参照しながら、前枠２に配設された電気部品の配置構成について説明する。上述のようにして、裏セット盤２０から前枠２へと延びる枠用ハーネス２ｅのうち、枠用ケーブル２ａが、外枠１の下部に設けられた下スピーカユニット５９に電気接続される。枠用ハーネス２ｅのうちで枠用ケーブル２ｂが、球発射装置に内蔵された発射ソレノイド５６に電気接続される。枠用ハーネス２ｅのうち枠用ケーブル２ｃは分岐して、前枠２に対して裏セット盤２０が開放されているか否かを検出する裏セット盤開放スイッチ５４、前枠２に対してガラス扉５が開放されているか否かを検出する中部扉開放スイッチ５５、下部扉開放スイッチ５７、および外枠１に対して前枠２が開放されているか否かを検出する枠開放スイッチ５８の各々に電気接続される。枠用ハーネス２ｅのうちで枠用ケーブル２ｄが、前枠２に対してガラス扉５が開放されているか否かを検出する上扉開放スイッチ５３に電気接続される。
【００２６】
次に、図７を参照しながら、ガラス扉５に配設された電気部品や基板等の配置構成について説明する。裏セット盤２０からガラス扉５へと延びる扉用ハーネス５ｅのうち、扉用ケーブル５ｂおよび扉用ケーブル５ｄがサブ球皿中継端子板６１と電気接続される。このサブ球皿中継端子板６１は、ガラス扉５の電飾を行うための第１扉電飾基板６２、第２扉電飾基板６３、および球皿電飾接続基板６４の各々に電気接続される。第１扉電飾基板６２は、ガラス扉５の電飾を行うための第３扉電飾基板６５、第４扉電飾基板６６、第５扉電飾基板６７、第６扉電飾基板６８、および演出用の効果音を発するための左上スピーカ６９の各々と電気接続される。上記の第６扉電飾基板６８は、さらに第７扉電飾基板７０と電気接続されている。一方、第２扉電飾基板６３は、ガラス扉５の電飾を行うための第８扉電飾基板７１、第９扉電飾基板７２、および演出用の効果音を発するための右上スピーカ７３の各々と電気接続される。
【００２７】
球皿電飾接続基板６４は、球皿（上球皿６および下球皿７）の電飾を行うための第１球皿電飾基板７４、可動体ユニット７６、第１演出ボタン７７、第１０扉電飾基板７８、第１１扉電飾基板８０、第１２扉電飾基板８２およびハンドルユニット８３と電気接続される。第１球皿電飾基板７４は、さらに球皿の電飾を行うための第２球皿電飾基板７５と電気接続され、第１０扉電飾基板７８は、さらにガラス扉５の電飾を行うための第１３扉電飾基板７９と電気接続される。また、第１１扉電飾基板８０は第２演出ボタン８１と電気接続され、ハンドルユニット８３はハンドル接続基板８６と電気接続される。
【００２８】
裏セット盤２０からガラス扉５へと延びる扉用ハーネス５ｅのうち、扉用ケーブル５ａおよび扉用ケーブル５ｃはメイン球皿中継端子８７と電気接続される。このメイン球皿中継端子８７は、球貸操作基板８４、遊技球を球発射装置に送るための球送り装置に内蔵された球送りソレノイド８５、およびハンドル接続基板８６の各々と電気接続される。
【００２９】
以上ここまでは、裏セット盤２０における各制御基板の配置構成、前枠２およびガラス扉５における電気部品の配置構成について説明した。このようにパチンコ機ＰＭは、メンテナンス時などのために前枠２に対してガラス扉５および裏セット盤２０が揺動開閉可能に構成されているが、一般的に揺動開閉させても枠用ハーネス２ｅおよび扉用ハーネス５ｅが断線することなく、各制御基板と電気部品との電気接続状態が確保されていることが要求される。
【００３０】
そのため従来は、例えば前枠に中継基板を配設することで、裏セット盤の制御基板と中継基板とをケーブルで電気接続し、さらにこの中継基板とガラス扉に配設された電気部品とを別のケーブルで接続する方法が採用されていた。この方法によれば、例えば制御基板とガラス扉に配設された電気部品とを電気接続するケーブルの各々の全長を短くして断線等の発生を抑えることが可能であるが、その一方で、中継基板の分だけ製造コストが増加するとともに、中継基板を配設することで他の構成部品の配設スペースが圧迫されてしまうという虞があった。
【００３１】
そこで本発明を適用したパチンコ機ＰＭは、中継基板を使用しないことで製造コストを抑え且つ他の構成部品の配設スペースを確保するとともに、ケーブルの断線を防止できる構成を特徴構成としている。それでは、上記の特徴構成について、図８〜図１０を追加参照しながら以下に説明する。
【００３２】
図２および図８（ａ）に示すように、裏セット盤２０の後面側におけるヒンジ機構３側の下部に、前後に開口した枠用ガイド開口２５が形成されるとともに、この枠用ガイド開口２５のヒンジ機構３側に扉用ガイド部材２６が並んで取り付けられている。
【００３３】
枠用ガイド開口２５は、図８（ａ）および図８（ｂ）に示すように、裏セット盤２０の一部が前方に下がるように傾斜した傾斜底部２５ａと、この傾斜底部２５ａの前端部と繋がって略水平に延びる水平底部２５ｄと、傾斜底部２５ａおよび水平底部２５ｄの左側端部から上方に向けて立設されたガイド壁部２５ｂとによって囲まれて形成される前後に貫通した開口部である。そのため、この枠用ガイド開口２５に枠用ハーネス２ｅを前後に挿通させてガイドさせることにより、枠用ハーネス２ｅは前後に延びた状態で且つ傾斜底部２５ａに沿って前方に下がるように傾斜した状態でガイドされる。
【００３４】
なお、ガイド壁部２５ｂは、枠用ハーネス２ｅをガイド可能な程度に上方に延びて形成され、その上端部２５ｃと裏セット盤２０との間に上部隙間２５ｅが形成されている。また、ガイド壁部２５ｂの左側には、上部隙間２５ｅと繋がる側部隙間２５ｆが形成されている。そのため、一旦枠用ガイド開口２５に枠用ハーネス２ｅをガイドさせた後で、一部の枠用ハーネス２ｅ（例えば、枠用ケーブル２ｂ）のみを枠用ガイド開口２５から取り出すときには、上部隙間２５ｅおよび側部隙間２５ｆを利用することで容易に取り出すことができるようになっている。これとは逆に、枠用ガイド開口２５に枠用ハーネス２ｅをガイドさせるときも、同様に上部隙間２５ｅおよび側部隙間２５ｆを利用することで、枠用ガイド開口２５に枠用ハーネス２ｅを容易に挿通させることができる。また、図８（ａ）に示すように、上端部２５ｃが略半円状に形成されているので、この上端部２５ｃにおいてケーブルが引っ掛って断線することがない。
【００３５】
枠用ガイド開口２５にガイドされて前後に延びた枠用ハーネス２ｅは、図１０に示すように、前枠２の下端部に導かれて固定され、この下端部から各センサ等に向けて延びて配設される。
【００３６】
扉用ガイド部材２６は、外形が矩形で且つ中央部分に扉用ガイド開口２６ａが形成されたリング状の部材であって、枠用ガイド開口２５のヒンジ機構３側には、扉用ガイド部材２６の外形形状に合わせた略コの字状の受容部２０ａが形成されており、この受容部２０ａに対して扉用ガイド部材２６が右側方から挿入されて、前方に向けて下がるように傾斜した状態に保持される（図３および図１０参照）。
【００３７】
また、扉用ガイド部材２６の右側下端部には係合部２６ｄが形成されており、この係合部２６ｄにより、扉用ガイド部材２６の右側壁２６ｅと底部２６ｂとが係脱可能となっている。そして、扉用ガイド部材２６は、例えば樹脂材料を用いて可撓性を備えて形成されており、右側壁２６ｅと底部２６ｂとの係合を解除させることで、揺動中心２６ｃを中心として右側壁２６ｅを左右に揺動させることが可能となる。そのため、扉用ガイド開口２６ａにガイドされた扉用ハーネス５ｅを扉用ガイド開口２６ａから外したり、また、扉用ガイド開口２６ａに扉用ハーネス５ｅを挿通させてガイドさせる場合には、右側壁２６ｅと底部２６ｂとの係合を解除させて右側壁２６ｅを左右に揺動させることで、簡便に行うことができる。なお、扉用ガイド部材２６としては、簡単にケーブルを追加してガイドさせたり、またガイドされたケーブルを簡単に外すことが可能に構成されたワイヤーサドルを用いることが可能である。
【００３８】
図９に示すように、前枠２には、扉用ガイド部材２６の扉用ガイド開口２６ａに挿入されてガイドされた扉用ハーネス５ｅが挿通可能な扉用ガイド開口２７が、前後に延びて形成されている。この扉用ガイド開口２７の底部２７ａは、前方に向けて下がるように傾斜して形成されている（図１０参照）。また、扉用ガイド部材２６の底部２６ｂと扉用ガイド開口２７の底部２７ａとは、同様に前方に向けて下がるように傾斜しているため、扉用ガイド開口２６ａおよび扉用ガイド開口２７に挿入されてガイドされた扉用ハーネス５ｅは、前方に向けて傾斜した状態のままスムーズに前後に移動可能となっている。なお、扉用ハーネス５ｅの周囲に例えばスパイラルチューブを巻き付けて束ねることで、扉用ハーネス５ｅを一体的に前後に移動させることが可能である。
【００３９】
また、扉用ハーネス５ｅの前端部分には、サブ球皿中継端子板６１およびメイン球皿中継端子８７と接続するためのケーブルコネクタ５ｆが取り付けられている（図１０参照）。そのため、前枠２からガラス扉５を取り外す場合には、まず前枠２に対してガラス扉５を開放させた後、サブ球皿中継端子板６１およびメイン球皿中継端子８７からケーブルコネクタ５ｆを取り外し、その後前枠２からガラス扉５を取り外す。
【００４０】
このように、パチンコ機ＰＭにおいては、別々の独立した枠用ガイド開口２５と扉用ガイド開口２６ａとを裏セット盤２０に設け、枠用ガイド開口２５に対しては前枠２に配設された電気部品と接続される枠用ハーネス２ｅを、一方、扉用ガイド開口２６ａに対してはガラス扉５に配設された電気部品と接続される扉用ハーネス５ｅを分類して挿通させ、ガイドさせるようになっている。そのため、前枠２に対してガラス扉５および裏セット盤２０を揺動開閉させた場合に、揺動に伴って枠用ハーネス２ｅおよび扉用ハーネス５ｅが前後に移動するが、このときに枠用ハーネス２ｅと扉用ハーネス５ｅとが互いに絡み合うことを防止できるので、これらのハーネスが断線したり、ハーネス同士が絡み合うことで前枠２に対するガラス扉５および裏セット盤２０の揺動が規制される事態の発生を防止可能である。
【００４１】
また、前枠２に対してガラス扉５を閉鎖させた状態から開放させると、開放に伴って扉用ハーネス５ｅが前方に引っ張られて移動し、これとは反対に、前枠２に対してガラス扉５を開放させた状態から閉鎖させると、前方に引き出された状態の扉用ハーネス５ｅが後方に押し込まれることとなる。このとき、扉用ハーネス５ｅは、前方に傾斜した底部２６ｂおよび底部２７ａに沿ってスムーズに前後に移動されるので、例えば前後移動の途中で前枠２の一部に引っ掛かるようなことなく、前枠２に対してガラス扉５をスムーズに揺動開閉できるとともに、扉用ハーネス５ｅの断線を防止可能となる。
【００４２】
また、パチンコ機ＰＭにおいては、枠用ハーネス２ｅをガイドする枠用ガイド開口２５に対してヒンジ機構３側に扉用ガイド部材２６を取り付け、この扉用ガイド部材２６の扉用ガイド開口２６ａに扉用ハーネス５ｅをガイドさせる構成となっている。このように、枠用ハーネス２ｅに対し、扉用ハーネス５ｅをヒンジ機構３（ヒンジ機構３の揺動中心）に近い部分でガイドさせることにより、前枠２に対してガラス扉５のみを揺動開閉させた場合、前枠２に対して裏セット盤２０のみを揺動開閉させた場合、前枠２に対してガラス扉５および裏セット盤２０の両方を揺動開閉させた場合のいずれの場合であっても、枠用ハーネス２ｅと扉用ハーネス５ｅとが互いに絡み合うことを確実に防止可能となる。
【００４３】
さらに、このパチンコ機ＰＭでは、図５に示すように、裏セット盤２０の後面側において、枠用ハーネス２ｅと扉用ハーネス５ｅとがなるべく重なり合わないようにケーブルコネクタが配設されている。すなわち、扉用ハーネス５ｅが引き出されるケーブルコネクタ３３ｅ，３４ｃ，４７ａが、枠用ハーネス２ｅが引き出されるケーブルコネクタ３４ａ，３３ａ，３３ｃ，３３ｄに対して、上方に位置するように構成されている。この構成により、前枠２に対してガラス扉５および裏セット盤２０が揺動開閉されて、裏セット盤２０の後面側において枠用ハーネス２ｅおよび扉用ハーネス５ｅが前後に移動する場合であっても、枠用ハーネス２ｅと扉用ハーネス５ｅとが互いに絡み合うことが抑えられ、断線等の発生を効果的に防止できる。
【００４４】
以上説明したように本発明に係るパチンコ機ＰＭは、中継基板を用いることなく、裏セット盤２０の各制御基板と、前枠２およびガラス扉５に配設された電気部品とをケーブルで繋いで電気接続する構成となっているので、従来の中継基板を用いた構成と比較して、中継基板の分だけ製造コストを低減できる。また、従来の中継基板を用いた構成では、中継基板を配設することで他の構成部品の配設スペースが圧迫されがちであったが、一方、本発明に係るパチンコ機ＰＭにおいては、中継基板によって他の構成部品の配設スペースが圧迫されるようなことはない。
【００４５】
上述の実施形態においては、裏セット盤２０に枠用ガイド開口２５を形成するとともに、扉用ガイド開口２６ａが形成された扉用ガイド部材２６を裏セット盤２０に保持させる構成を例示して説明したが、本発明はこの構成に限定されるものではない。例えば、枠用ガイド開口および扉用ガイド開口の両方を裏セット盤２０に形成する構成や、枠用ガイド開口および扉用ガイド開口が形成されたガイド部材を裏セット盤２０に装着して保持させる構成でも良い。
【００４６】
また、上述の実施形態においては、図１０に示すように、前枠２に形成された扉用ガイド開口２７に対し、扉用ガイド部材２６が前後に離れて裏セット盤２０に取り付けられた構成を例示して説明したが、本発明はこの構成に限定されるものではない。例えば、扉用ガイド開口２７に対し、扉用ガイド部材２６を前後に対向させて（近接させて）裏セット盤２０に取り付ける構成も可能である。
【００４７】
なお、以上説明した実施形態では、本発明の適用対象となる弾球遊技機の一例としてパチンコ機を例示して説明したが、これに限定されるものではない。すなわち、ヒンジ機構により揺動開閉可能となった遊技球全般に適用可能である。
【符号の説明】
【００４８】
ＰＭ    パチンコ機（弾球遊技機）
２      前枠
２ｅ    枠用ハーネス（前枠用ケーブル）
３      ヒンジ機構
５      ガラス扉
５ｅ    扉用ハーネス（ガラス扉用ケーブル）
１０    遊技盤
２０    裏セット盤
２５    枠用ガイド開口（一のガイド開口部）
２６ａ  扉用ガイド開口（他のガイド開口部）
２７    扉用ガイド開口（前枠側ガイド開口部）
３３    払出制御基板（制御基板）
３４    演出接続基板（制御基板）
４７    球貸出装置接続端子板（制御基板）
５３    上扉開放スイッチ（前枠側電気部品）
６９    左上スピーカ（ガラス扉側電気部品）
【図１】
0005403558.tif 000002
【図２】
0005403558.tif 000003
【図３】
0005403558.tif 000004
【図４】
0005403558.tif 000005
【図５】
0005403558.tif 000006
【図６】
0005403558.tif 000007
【図７】
0005403558.tif 000008
【図８】
0005403558.tif 000009
【図９】
0005403558.tif 000010
【図１０】
0005403558.tif 000011